【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
無線通信デバイスであって、
少なくとも１つの仮想アンテナと、
時空間フィルタ・ウェイトと少なくとも１つのチャネル・インパルス応答（ＣＩＲ）とを統合的に推定することによって、該少なくとも１つの仮想アンテナによって受信された通信信号にフィルタをかける時空間フィルタ回路と、
該時空間フィルタ回路の下流にあり、該時空間フィルタ回路からのチャネル・インパルス応答推定値によって提供されるフィルタ応答を有する、整合フィルタ回路と
を備えている、無線通信デバイス。
【請求項２】
前記少なくとも１つの仮想アンテナは、前記通信信号をｎ個の信号部分に分割する、請求項１に記載の無線通信デバイス。
【請求項３】
前記少なくとも１つの仮想アンテナは、前記通信信号を奇数および偶数サンプリングされたｎ個の実信号部および虚信号部に分割する、請求項２に記載の無線通信デバイス。
【請求項４】
前記時空間フィルタ回路は、時空間フィルタ・ウェイトと多重チャネル・インパルス応答とを統合的に推定することによって、前記ｎ個の信号部にフィルタをかける多重チャネル時空間フィルタを含む、請求項２に記載の無線通信デバイス。
【請求項５】
前記多重チャネル時空間フィルタ回路は、各信号部に個別の時空間フィルタ・ウェイトを乗算する少なくとも１つの乗算器を含む、請求項４に記載の無線通信デバイス。
【請求項６】
前記少なくとも１つの乗算器は、並列に接続された一対の該乗算器を含み、前記多重チャネル時空間フィルタ回路は、該一対の乗算器のうちの１つの入力部に接続されている、各信号用の個別の遅延回路をさらに含む、請求項５に記載の無線通信デバイス。
【請求項７】
前記通信信号は、複数のシンボルを含み、前記乗算器および遅延回路は該複数のシンボルに関連した約１シンボルの遅延を各々有する、請求項６に記載の無線通信デバイス。
【請求項８】
各チャネルに対して、前記乗算器の出力を合計する個別の加算回路をさらに含む、請求項５に記載の無線通信デバイス。
【請求項９】
前記整合フィルタ回路の下流に等化回路をさらに含む、請求項１に記載の無線通信デバイス。
【請求項１０】
無線通信デバイスであって、
少なくとも１つの仮想アンテナと、
時空間フィルタ・ウェイトと少なくとも１つのチャネル・インパルス応答（ＣＩＲ）とを統合的に推定することによって、該少なくとも１つの仮想アンテナによって受信された通信信号にフィルタをかける時空間フィルタ回路と、
該時空間フィルタ回路の下流にあり、該時空間フィルタ回路からのチャネル・インパルス応答推定値によって提供されるフィルタ応答を有する、整合フィルタ回路と、
干渉レベルが所定の閾値に満たない場合に動作する代替フィルタであって、代替の整合フィルタ回路と、相互相関回路と、該通信信号を該整合フィルタ回路および相互相関回路へ選択的に切り替える切り替え機構とを含む、代替フィルタと
を備えている、無線通信デバイス。
【請求項１１】
前記少なくとも１つの仮想アンテナは、前記通信信号をｎ個の信号部分に分割する、請求項１０に記載の無線通信デバイス。
【請求項１２】
前記少なくとも１つの仮想アンテナは、前記通信信号を奇数および偶数サンプリングされたｎ個の実信号部および虚信号部に分割する、請求項１１に記載の無線通信デバイス。
【請求項１３】
前記時空間フィルタ回路は、時空間フィルタ・ウェイトと多重チャネル・インパルス応答とを統合的に推定することによって、前記ｎ個の信号部にフィルタをかける多重チャネル時空間フィルタを含む、請求項１１に記載の無線通信デバイス。
【請求項１４】
前記多重チャネル時空間フィルタ回路は、各信号部に個別の時空間フィルタ・ウェイトを乗算する少なくとも１つの乗算器を含む、請求項１３に記載の無線通信デバイス。
【請求項１５】
各チャネルに対して、前記乗算器の出力を合計する個別の加算回路をさらに含む、請求項１４に記載の無線通信デバイス。
【請求項１６】
前記整合フィルタ回路の下流に等化回路をさらに含む、請求項１０に記載の無線通信デバイス。
【請求項１７】
無線通信デバイスの受信器内で同一チャネル干渉を低減する方法であって、
少なくとも１つの仮想アンテナを提供することと、
時空間フィルタ・ウェイトと少なくとも１つのチャネル・インパルス応答（ＣＩＲ）とを統合的に推定することによって、時空間フィルタ回路を使用して、該少なくとも１つの仮想アンテナによって受信された通信信号にフィルタをかけることと、
整合フィルタ回路を使用して、該時空間フィルタ回路からのチャネル・インパルス応答推定値に基づいて、フィルタ応答を生成することと
を包含する、方法。
【請求項１８】
前記少なくとも１つの仮想アンテナは、前記通信信号をｎ個の信号部分に分割する、請求項１７に記載の方法。
【請求項１９】
前記少なくとも１つの仮想アンテナは、前記通信信号を奇数および偶数サンプリングされたｎ個の実信号部および虚信号部に分割する、請求項１８に記載の方法。
【請求項２０】
前記時空間フィルタ回路は、時空間フィルタ・ウェイトと多重チャネル・インパルス応答とを統合的に推定することによって、前記ｎ個の信号部にフィルタをかける多重チャネル時空間フィルタを含む、請求項１８に記載の方法。
【請求項２１】
前記整合フィルタ回路の下流に等化器を提供することをさらに含む、請求項１７に記載の方法。
【請求項２２】
移動無線通信デバイスであって、
携帯型の筐体と、
該携帯型の筐体によって運ばれる少なくとも１つの仮想アンテナと、
該携帯型の筐体によって運ばれる時空間フィルタ回路であって、時空間フィルタ・ウェイトと少なくとも１つのチャネル・インパルス応答（ＣＩＲ）とを統合的に推定することによって、該少なくとも１つの仮想アンテナによって受信された通信信号にフィルタをかける、時空間フィルタ回路と、
該携帯型の筐体によって運ばれる整合フィルタ回路であって、該時空間フィルタ回路の下流にあり、該時空間フィルタ回路からのチャネル・インパルス応答推定値によって提供されるフィルタ応答を有する、整合フィルタ回路と
を備えている、移動無線通信デバイス。
【請求項２３】
前記少なくとも１つの仮想アンテナは、前記通信信号をｎ個の信号部分に分割する、請求項２２に記載の移動無線通信デバイス。
【請求項２４】
前記少なくとも１つの仮想アンテナは、前記通信信号を奇数および偶数サンプリングされたｎ個の実信号部および虚信号部に分割する、請求項２３に記載の移動無線通信デバイス。
【請求項２５】
前記時空間フィルタ回路は、時空間フィルタ・ウェイトと多重チャネル・インパルス応答とを統合的に推定することによって、前記ｎ個の信号部にフィルタをかける多重チャネル時空間フィルタを含む、請求項２３に記載の移動無線通信デバイス。
【請求項２６】
前記時空間フィルタ回路は、コレスキー分解および固有値分解に基づいて、時空間フィルタ・ウェイトとＣＩＲとを統合的に推定する、請求項１に記載の無線通信デバイス。
【請求項２７】
前記時空間フィルタ回路は、コレスキー分解および固有値分解に基づいて、時空間フィルタ・ウェイトとＣＩＲとを統合的に推定する、請求項１０に記載の無線通信デバイス。
【請求項２８】
前記時空間フィルタ・ウェイトとＣＩＲとを統合的に推定することは、コレスキー分解および固有値分解に基づいて、時空間フィルタ・ウェイトとＣＩＲとを統合的に推定することを含む、請求項１７に記載の方法。
【請求項２９】
前記時空間フィルタ回路は、コレスキー分解および固有値分解に基づいて、時空間フィルタ・ウェイトとＣＩＲとを統合的に推定する、請求項２２に記載の移動無線通信デバイス。
【請求項３０】
前記時空間フィルタ回路は、特異値分解（ＳＶＲ）に基づいて、時空間フィルタ・ウェイトとＣＩＲとを統合的に推定する、請求項１に記載の無線通信デバイス。
【請求項３１】
前記時空間フィルタ回路は、特異値分解（ＳＶＲ）に基づいて、時空間フィルタ・ウェイトとＣＩＲとを統合的に推定する、請求項１０に記載の無線通信デバイス。
【請求項３２】
前記時空間フィルタ・ウェイトとＣＩＲとを統合的に推定することは、特異値分解（ＳＶＲ)に基づいて、時空間フィルタ・ウェイトとＣＩＲとを統合的に推定することを含む、請求項１７に記載の方法。
【請求項３３】
前記時空間フィルタ回路は、特異値分解（ＳＶＲ）に基づいて、時空間フィルタ・ウェイトとＣＩＲとを統合的に推定する、請求項２２に記載の移動無線通信デバイス。
【請求項３４】
前記時空間フィルタ回路は、ＱＲ分解および固有値分解に基づいて、時空間フィルタ・ウェイトとＣＩＲとを統合的に推定する、請求項１に記載の無線通信デバイス。
【請求項３５】
前記時空間フィルタ回路は、ＱＲ分解および固有値分解に基づいて、時空間フィルタ・ウェイトとＣＩＲとを統合的に推定する、請求項１０に記載の無線通信デバイス。
【請求項３６】
前記時空間フィルタ・ウェイトとＣＩＲとを統合的に推定することは、ＱＲ分解および固有値分解に基づいて、時空間フィルタ・ウェイトとＣＩＲとを統合的に推定することを含む、請求項１７に記載の方法。
【請求項３７】
前記時空間フィルタ回路は、ＱＲ分解および固有値分解に基づいて、時空間フィルタ・ウェイトとＣＩＲとを統合的に推定する、請求項２２に記載の移動無線通信デバイス。